(57)【要約】【課題】画質を劣化させることなく、液晶表示素子の表面にゴミや埃などが進入するのを効果的に抑制する電子機器を提供する。【解決手段】本発明の電子機器は、開口部を備えたバックカバー６と、バックカバー６の開口部６０の内部に配置された液晶表示装置１０と、液晶表示装置１０の表示面１０ａとの間に隙間Ｇを設け、表示面１０ａに対向するようにバックカバー６の開口部６０を覆う保護カバー７と、液晶表示装置１０の裏面１０ｂを支持してバックカバー６に固定される液晶ホルダー１６と、液晶表示装置１０の側面に設けられ、バックカバー６の内壁６ａに当接する緩衝部材１８とを有する。【選択図】図２
2011186245.tif 000002
【特許請求の範囲】
【請求項１】
開口部を備えた筐体と、
前記筐体の前記開口部の内部に配置された液晶表示装置と、
前記液晶表示装置の表示面との間に隙間を設け、該表示面に対向するように前記筐体の前記開口部を覆う表示窓と、
前記液晶表示装置の裏面を支持して前記筐体に固定される保持部と、
前記液晶表示装置または前記保持部の側面に設けられ、前記筐体の内壁に当接する緩衝部材と、を有することを特徴とする電子機器。
【請求項２】
前記液晶表示装置は、液晶表示素子に接続されて該液晶表示装置の前記側面の一辺から突出するように設けられたフレキシブルプリント基板を備え、
前記緩衝部材のうち、前記フレキシブルプリント基板が突出した前記一辺に取り付けられる部分には、該フレキシブルプリント基板を通すための穴が形成されていることを特徴とする請求項１に記載の電子機器。
【請求項３】
前記筐体の前記内壁には、前記液晶表示装置から遠ざかる方向に向けて奥行きが深くなるように傾斜した第１のテーパー部が形成されており、
前記緩衝部材は、前記第１のテーパー部にて当接することを特徴とする請求項１または２に記載の電子機器。
【請求項４】
前記筐体の前記内壁には凹部が形成されており、
前記緩衝部材は、前記凹部にて当接することを特徴とする請求項１または２に記載の電子機器。
【請求項５】
前記緩衝部材の先端には第２のテーパー部が形成されており、
前記緩衝部材は、前記第２のテーパー部にて前記筐体の前記内壁に当接することを特徴とする請求項１または２に記載の電子機器。
【請求項６】
前記緩衝部材は、前記液晶表示装置または前記保持部の前記側面に、シート材を介して貼り付けられていることを特徴とする請求項１乃至５のいずれか１項に記載の電子機器。
【発明の詳細な説明】
【技術分野】
【０００１】
本発明は、液晶表示装置を備えたデジタルカメラなどの電子機器に関する。
【背景技術】
【０００２】
近年、被写体像をＣＣＤやＣＭＯＳ等の撮像素子を用いて撮影し、撮影した画像データを記録媒体に記録する所謂デジタルカメラが広く普及している。デジタルカメラでは、カメラの各種機能を設定または確認するための表示や、撮影に際し被写体像を観察しながら撮影するライブビュー表示、撮影後の画像を確認する画像再生表示など行うために周知の液晶表示素子が用いられている。
【０００３】
従来のデジタルカメラでは、保護カバーからのカメラ内への光線漏れ防止と保護カバーと液晶表示装置との間にゴミや埃が進入するのを防止するため、緩衝部材が設けられている。このような緩衝部材は、液晶表示装置の表示面とデジタルカメラのバックカバーとの間に貼り付けられている。
【０００４】
ところで、液晶表示素子は、上ガラスと下ガラスをスペーサーによって所定間隔を保ち、これらの間に液晶が注入されて封止されている。そのため、液晶表示素子の表面に外力が加わると、上ガラスと下ガラスの間隔（ギャップ）が変化し、液晶の配向性が変化して白ムラや虹模様などが発生して表示画質が劣化してしまう。
【０００５】
液晶表示装置の保持構造として、液晶表示素子面に外力が加わらないようにした構成が特許文献１に開示されている。特許文献１では、液晶表示素子を支持する液晶ホルダーの周縁部から外装カバーに向けて突設したリブの先端を外装カバーに当接させている。また、外装カバーに加わる応力がリブに加わるようにして、液晶表示素子面に直接的に加わる応力を防止している。また、液晶表示素子と表示窓との間の隙間には、ゴミや埃などの進入を防止するため、液晶表示素子の表面に影響しない程度の応力で圧縮した緩衝部材が介在している。
【先行技術文献】
【特許文献】
【０００６】
【特許文献１】特開平１１−１４２８２０号公報
【発明の概要】
【発明が解決しようとする課題】
【０００７】
しかしながら、各部品の寸法ばらつきや組付け誤差などを考慮すると、液晶表示素子の表面にかかる応力のばらつき誤差は少なくない。また、近年、デジタルカメラへ搭載される液晶表示素子は大型化とともに、ＱＶＧＡ、ＶＧＡ、ＳＶＧＡのように高解像度化が進んでいる。高解像度化に伴い、液晶表示素子は外的ストレスに対して弱くなっている。そのため、従来の液晶表示装置の保持構造では、外的ストレスによる白ムラや虹模様などの表示画質の劣化を抑えることが困難である。
【０００８】
そこで本発明は、画質を劣化させることなく、液晶表示素子の表面にゴミや埃などが進入するのを効果的に抑制する液晶表示装置を提供する。
【課題を解決するための手段】
【０００９】
本発明の一側面としての電子機器は、開口部を備えた筐体と、前記筐体の前記開口部の内部に配置された液晶表示装置と、前記液晶表示装置の表示面との間に隙間を設け、該表示面に対向するように前記筐体の前記開口部を覆う表示窓と、前記液晶表示装置の裏面を支持して前記筐体に固定される保持部と、前記液晶表示装置または前記保持部の側面に設けられ、前記筐体の内壁に当接する緩衝部材とを有する。
【００１０】
本発明の他の目的及び特徴は、以下の実施例において説明される。
【発明の効果】
【００１１】
本発明によれば、画質を劣化させることなく、液晶表示素子の表面にゴミや埃などが進入するのを効果的に抑制する電子機器を提供することができる。
【図面の簡単な説明】
【００１２】
【図１】本実施例におけるデジタル一眼レフカメラの外観斜視図である。
【図２】図１中のＡ−Ａ面で切断したデジタル一眼レフカメラの断面図である。
【図３】図１中のＢ−Ｂ面を切断したデジタル一眼レフカメラの拡大断面図である。
【図４】図２中のＣ部の拡大図であり、バックカバー６と緩衝部材１８との当接部の周辺を示した図である。
【発明を実施するための形態】
【００１３】
以下、本発明の実施例について、図面を参照しながら詳細に説明する。各図において、同一の部材については同一の参照番号を付し、重複する説明は省略する。
【００１４】
まず、本実施例におけるデジタル一眼レフカメラ（電子機器）の概略構成について説明する。図１は、デジタル一眼レフカメラの外観斜視図である。１はカメラ本体であり、２は撮影レンズである。カメラ本体１は、主に、上蓋３、底蓋４、フロントカバー５、および、バックカバー６の各外装部材から構成されている。バックカバー６には、後述する液晶表示装置１０を外的衝撃から保護するための保護カバー７が取り付けられている。
【００１５】
図２は、図１中のＡ−Ａ面で切断したデジタル一眼レフカメラの断面図である。１０は液晶表示装置である。液晶表示装置１０は、液晶表示素子１１、液晶表示素子１１に取り付けられたフレキシブルプリント基板１２、バックライトユニット１３、バックライトユニット１３を収納する下カバー１４および上カバー１５を備えて構成される。バックライトユニット１３は、導光板、反射シート、輝度アップシート、および、バックライトＬＥＤなどから構成される。
【００１６】
バックカバー６（筐体）は開口部６０を備え、液晶表示装置１０は開口部６０の内部に配置されている。保護カバー７（表示窓）は、液晶表示装置１０の表示面１０ａ（図２中の液晶表示素子１１の上面）との間に隙間Ｇを設け、表示面１０ａに対向するようにバックカバー６の開口部６０を覆っている。
【００１７】
１６は、液晶表示装置１０をバックカバー６（筐体）に対して所定位置に取り付けるための液晶ホルダー（保持部）である。液晶ホルダー１６は、液晶表示装置１０の裏面１０ｂ（図２中の下カバー１４の下面）を支持して、ビス１７を用いてバックカバー６に固定される。なお、液晶表示装置１０は、両面テープを用いて液晶ホルダー１６に固着されている。
【００１８】
１８は、保護カバー７からカメラの内部へ光線が漏れるのを防止するため、および、保護カバー７と液晶表示装置１０との間にゴミや埃などが進入するのを防止のための緩衝部材である。緩衝部材１８は、液晶表示装置１０の側面に設けられ、バックカバー６の内壁６ａに当接する。緩衝部材１８は、好ましくは、液晶表示装置１０の周縁部（側面）の全周を囲むように貼り付けられる。ただし、十分な緩衝効果が得られる場合には、緩衝部材１８を液晶表示装置１０の周縁部（側面）の少なくとも一部に貼り付ければよい。
【００１９】
緩衝部材１８は、前述のように、カメラ内部への光線漏れと液晶表示素子の表面へのゴミや埃などの進入を防ぐため、バックカバー６に対して隙間が生じないようにする配置する必要がある。このため、各部品の寸法バラツキや緩衝部材１８の貼付け誤差等を考慮し、緩衝部材１８はバックカバー６に対して付勢されながら当接する。したがって、緩衝部材１８の材質は、圧縮ウレタン材やゴムシートなどの柔軟性がある材質が適して用いられる。
【００２０】
一方、柔軟性がある材質からなる緩衝部材１８は、液晶表示装置１０へ貼り付ける際に力の加減で伸びて長さが合わなくなる場合や、波打つ状態になる場合など、作業性は逆に低下する可能性がある。このため、緩衝部材１８には、液晶表示装置１０への貼り付け箇所にのみＰＥＴ材１９（シート材）が予め貼り付けられている。ＰＥＴ材を用いることにより、緩衝部材１８の貼り付け作業性を向上させることができる。
【００２１】
なお、本実施例の液晶ホルダー１６は平面形状であるが、これに限定されるものではなく、例えば、液晶ホルダー１６を液晶表示装置１０の周縁部（側面）を覆うような形状にしてもよい。この場合、緩衝部材１８は、液晶ホルダー１６の周縁部（側面）の全周またはその少なくとも一部に貼り付けることができる。
【００２２】
図３は、図１中のＢ−Ｂ面を切断したデジタル一眼レフカメラの拡大断面図である。図３は、フレキシブルプリント基板１２の周囲における緩衝部材１８の詳細構造を示している。フレキシブルプリント基板１２は液晶表示装置１０に接続され、液晶表示装置１０の側面の一辺から突出するように設けられる。また、フレキシブルプリント基板１２は、カメラ本体１の内部に設けられた不図示の回路基板に接続されることにより、液晶表示装置１０との間で電気的な接続がなされる。
【００２３】
液晶表示装置１０の周縁部（側面）に設けられた緩衝部材１８のうち、フレキシブルプリント基板１２が突出した一辺（接続面）に取り付けられた部分のみ、緩衝部材１８は、フレキシブルプリント基板１２を通すための開口部１８ａ（穴）を有する。緩衝部材１８を液晶表示装置１０に貼り付ける際には、フレキシブルプリント基板１２を緩衝部材１８の開口部１８ａに通し、液晶表示装置１０の接続面（側面）に貼り付ける。このような構成により、液晶表示装置１０の周縁部（側面）の全周を実質的に覆うことが可能となる。
【００２４】
本実施例では、単一の部材からなる緩衝部材１８を用いて、液晶表示装置１０の周縁部の全周を囲むことができる。ただし、これに限定されるものではなく、独立した複数の部材を用いて、液晶表示装置１０の周縁部の四辺（全周）のそれぞれに貼り付けてもよい。
【００２５】
図４は、図２中のＣ部（点線部）の拡大図であり、バックカバー６と緩衝部材１８との当接部の周辺を示した図である。図４（ａ）〜（ｃ）は、それぞれ、当接部の異なる変形例を示している。液晶表示装置１０をバックカバー６に組み込む際に、緩衝部材１８が液晶表示装置１０の側に倒れると、バックカバー６と液晶表示装置１０との間に緩衝部材１８が挟み込まれる。その結果、緩衝部材１８の圧縮力が液晶表示素子１１にかかり、白ムラや虹模様などの表示画質の劣化を招くことになる。図４（ａ）〜（ｃ）に示される各構造は、緩衝部材１８が液晶表示装置１０の外側に逃げ、液晶表示装置１０の側に倒れないようにするための変形例である。
【００２６】
図４（ａ）は、緩衝部材１８が当接するバックカバー６の当接部にテーパー部６ｂ（第１のテーパー部）を形成した一例である。図４（ａ）に示されるように、テーパー部６ｂは、液晶表示装置１０から遠ざかる方向（図中の左方向）に向けて、その奥行きが深くなるように傾斜している。このため、緩衝部材１８がバックカバー６の当接部であるテーパー部６ｂに当接すると、緩衝部材１８は、図４（ａ）に示されるように、液晶表示装置１０から遠ざかる方向に傾く。したがって、緩衝部材１８が液晶表示装置１０のほうに倒れることを効果的に防止することができる。
【００２７】
図４（ｂ）は、緩衝部材１８が当接するバックカバー６の当接部に凹部６ｃを形成した変形例である。図４（ｂ）に示されるように、緩衝部材１８は凹部６ｃにおいてバックカバー６に当接する。このため、凹部６ｃの周囲の側壁が存在することによって、緩衝部材１８が液晶表示装置１０のほうに倒れることを効果的に防止することができる。
【００２８】
図４（ｃ）は、バックカバー６に当接する緩衝部材１８の先端部（当接部）にテーパー部１８ｂ（第２のテーパー部）を形成した変形例である。図４（ｃ）に示されるように、テーパー部１８ｂは、断面図で見た場合に左上から右下に切断されて形成されている。このため、緩衝部材１８は、その左側部分でバックカバー６に当接し、緩衝部材１８が右側に配置されている液晶表示装置１０のほうに倒れることを効果的に防止することができる。
【００２９】
なお、本実施例では図４（ａ）〜（ｃ）の構造を独立に説明したが、これに限定されるものではなく、図４（ａ）〜（ｃ）の構造の少なくとも二つを組み合わせて用いてもよい。
【００３０】
以上のとおり、本実施例の緩衝部材は、液晶表示装置の側面に設けられており、液晶表示装置の表示面には配置されていない。このため本実施例によれば、画質を劣化させることなく、液晶表示素子の表面にゴミや埃などが進入するのを効果的に抑制する電子機器を提供することができる。
【００３１】
以上、本発明の実施例について具体的に説明した。ただし、本発明は上記実施例として記載された事項に限定されるものではなく、本発明の技術思想を逸脱しない範囲内で適宜変更が可能である。本実施例は、電子機器としてデジタルカメラの場合について説明したが、ビデオカメラなど液晶表示装置を備えた他の電子機器にも適用可能である。
【符号の説明】
【００３２】
６  バックカバー
７  保護カバー
１０  液晶表示装置
１６  液晶ホルダー
１８  緩衝部材
【図１】
2011186245.tif 000003
【図２】
2011186245.tif 000004
【図３】
2011186245.tif 000005
【図４】
2011186245.tif 000006